(57)【要約】【課題】無線チャンネルを有効活用し無線ネットワーク全体のスループットを向上する。【解決手段】基幹ネットワーク３０に接続される無線ＬＡＮアクセスポイントの配下にある複数の無線ＬＡＮクライアントに対する無線ＬＡＮの切替システムに、無線ＬＡＮアクセスポイントでインフラストラクチャーモード、アドホックモードの機能を有する無線ＬＡＮクライアント同士のトラフィックを監視するトラフィック監視部１０７Ａと、監視されるトラフィックが所定値以上に高くなった場合無線ＬＡＮクライアント同士の接続要求に対して無線ＬＡＮクライアントにインフラストラクチャーモードからアドホックモードに通信を切り替えるように無線設定変更指示を行う無線設定変更指示部１０７Ｂと、無線ＬＡＮクライアントでは無線ＬＡＮアクセスポイントからの指示に従ってインフラストラクチャーモードからアドホックモードに切り替える無線設定変更部２０７Ａとを備える。【選択図】図１
2005086234.tif 000002
【特許請求の範囲】
【請求項１】
基幹ネットワークに接続される無線ＬＡＮアクセスポイントの配下にある複数の無線ＬＡＮクライアントに対する無線ＬＡＮの切替システムにおいて、
前記無線ＬＡＮアクセスポイントでインフラストラクチャーモード、アドホックモードの機能を有する無線ＬＡＮクライアント同士のトラフィックを監視するトラフィック監視部と、
前記トラフィック監視部で監視されるトラフィックが所定値以上に高くなった場合、無線ＬＡＮクライアント同士の接続要求に対して前記無線ＬＡＮクライアントにインフラストラクチャーモードからアドホックモードに通信を切り替えるように無線設定変更指示を行う無線設定変更指示部と、
前記無線ＬＡＮクライアントでは前記無線ＬＡＮアクセスポイントの前記無線設定変更指示部からの指示に従ってインフラストラクチャーモードからアドホックモードに切り替える無線設定変更部とを備えることを特徴とする無線ＬＡＮの切替システム。
【請求項２】
前記無線設定変更指示部からの無線設定変更指示にはインフラストラクチャーモードからアドホックモードへの切替指示の他に、使用無線チャンネル、ＥＳＳＩＤの変更指示、ＷＥＰの変更指示を含むことを特徴とする、請求項１に記載の携帯情報端末の文字入力システム。
【請求項３】
前記無線設定変更指示部は接続要求された無線ＬＡＮクライアントが他の無線ＬＡＮクライアント又は前記基幹ネットワークに接続されている合には無線設定変更指示を行わないことを特徴とする、請求項１に記載の携帯情報端末の文字入力システム。
【請求項４】
前記無線設定変更指示部は接続要求があった無線ＬＡＮクライアントが他の機器に接続されている場合には無線設定変更指示を行わないことを特徴とする、請求項１に記載の携帯情報端末の文字入力システム。
【請求項５】
前記無線ＬＡＮアクセスポイントには最新接続ログ保存部が設けられ、前記最新接続ログ保存部には最新の接続ログが保存され、前記無線設定変更指示部は前記最新接続ログ保存部を参照して前記無線ＬＡＮクライアント同士のアドホックモードの接続確立ができなかったことを確認した場合には無線設定変更指示を行わないことを特徴とする、請求項１に記載の携帯情報端末の文字入力システム。
【請求項６】
前記最新接続ログ保存部に保存された最新の接続ログは一定時間経過後に消去されることを特徴とする、請求項５に記載の無線ＬＡＮの切替システム。
【請求項７】
前記無線設定変更部は、前記無線ＬＡＮクライアント同士のアドホックモードの接続確立後、前記無線ＬＡＮクライアントから他の機器への接続要求があった場合、アドホックモードの通信を切断し、前記無線設定変更指示部に切断の情報を通知することを特徴とする、請求項１に記載の携帯情報端末の文字入力システム。
【請求項８】
前記無線ＬＡＮクライアントには前回の無線設定情報保存部が設けられ、前記最新接続ログ保存部には前記無線設定変更指示部から無線設定変更指示された無線通信設定情報が保存され、無線設定変更指示後前記無線ＬＡＮクライアント同士のアドホックモード接続確立ができない場合、接続確立した後にアドホックモードの通信を切断した場合、アドホックモードの通信が終了した場合に、前記前回の無線設定情報保存部を参照して、前記無線ＬＡＮクライアントが前記無線ＬＡＮアクセスポイントに接続を行うことを特徴とする、請求項１に記載の無線ＬＡＮの切替システム。
【請求項９】
前記前記無線ＬＡＮクライアントが前記無線ＬＡＮアクセスポイントに接続を行う際に、前記無線ＬＡＮクライアント間の無線状況を前記無線ＬＡＮアクセスポイントに通知し、前記無線ＬＡＮアクセスポイントの最新接続ログ保存部に保存することを特徴とする、請求項１に記載の携帯情報端末の文字入力システム。
【請求項１０】
無線設定変更指示後前記無線ＬＡＮクライアント同士の接続確立ができない場合、接続確立した後にアドホックモードの通信を切断した場合、前記無線ＬＡＮクライアント同士はインフラストラクチャーモードによる通信を行うことを特徴とする、請求項１に記載の携帯情報端末の文字入力システム。
【請求項１１】
基幹ネットワークに接続される無線ＬＡＮアクセスポイントの配下にある複数の無線ＬＡＮクライアントに対する無線ＬＡＮの切替方法において、
前記無線ＬＡＮアクセスポイントでインフラストラクチャーモード、アドホックモードの機能を有する無線ＬＡＮクライアント同士のトラフィックを監視する工程と、
監視されるトラフィックが所定値以上に高くなった場合、無線ＬＡＮクライアント同士の接続要求に対して前記無線ＬＡＮアクセスポイントから前記無線ＬＡＮクライアントに対してインフラストラクチャーモードからアドホックモードに通信を切り替えるように無線設定変更指示を行う工程と、
接続要求があった前記無線ＬＡＮクライアントでは前記無線ＬＡＮアクセスポイントからの指示に従ってインフラストラクチャーモードからアドホックモードに切り替える工程とを備えることを特徴とする無線ＬＡＮの切替方法。
【請求項１２】
基幹ネットワークに接続され、複数の無線ＬＡＮクライアントを配下に有する無線ＬＡＮアクセスポイントにおいて、
インフラストラクチャーモード、アドホックモードの機能を有する無線ＬＡＮクライアント同士のトラフィックを監視するトラフィック監視部と、
無線ＬＡＮクライアント同士のアドホックモードの最新接続ログを保存する最新接続ログ保存部と、
監視されるトラフィックが所定値以上に高くなった場合、無線ＬＡＮクライアント同士の接続要求に対して前記最新接続ログ保存部を参照して最新のアドホックモードの接続が確立していた場合に前記無線ＬＡＮクライアントにインフラストラクチャーモードからアドホックモードに通信切り替えを可能にする無線設定変更指示を行う無線設定変更指示部とを備えることを特徴とする無線ＬＡＮアクセスポイント。
【発明の詳細な説明】
【技術分野】
【０００１】
本発明は無線ＬＡＮシステムに関する。特に、本発明は、無線ＬＡＮアクセスポイントのサテライトとして配下にある無線ＬＡＮクライアントの増加に対してスループットを向上させる無線ＬＡＮの切替システム、方法及び無線ＬＡＮアクセスポイントに関する。
【背景技術】
【０００２】
従来のセルＩＤ取得方法では、無線ＬＡＮ端末がセルＩＤを自動取得可能にするため、中継装置からの信号受信品質が低下した場合や電源投入時に、無線ＬＡＮ端末が所定回数を限度として接続要求信号を繰り返し無線送信する接続要求信号送信後所定時間以内に十分な信号受信品質にて認証信号を無線受信した場合に、その認証信号を送信した中継装置のセルＩＤを取得する。所定時間の待機及び所定回数の繰返し送信を経ても十分な信号受信品質にて認証信号を受信できなかった場合、アドホック網のセルＩＤ＝ＦＦＦＦを取得し、それ以後はセルＩＤの照合を停止するようにしている（例えば、特許文献１参照）。
【０００３】
また、従来の無線ＬＡＮメディアアクセス方法では、相手無線端末がベースネットワークまたはアドホックネットワークのどちらかで通信可能であるかを知ることなしに、無線端末間の通信を可能にするため、相手端末がベースネットワークまたはアドホックネットワークのいずれの端末であるかということをキャッシュテーブルに保存し、この情報を変更処理するようにしている（例えば、特許文献２参照）。
【０００４】
また、従来の移動端末では、インフラＮＷとアドホックＮＷとの間の移動を統合して行うため、インフラＮＷとアドホックＮＷとの双方のネットワーク間を移動して接続できる移動端末である。端末がネットワークに接続して通信を行うために必要となるアドレス管理処理、接続ネットワーク識別処理、および宛先アドレス取得処理について、インフラＮＷ接続用の手順とアドホックＮＷ接続用の手順とを統合した形態、即ち、アドホック／インフラＮＷ統合アドレス管理手段、アドホック／インフラ統合移動管理手段、およびアドホック／インフラＮＷ統合宛先アドレス取得手段で構成し、各処理では、処理ごとに独立に、端末が接続しているネットワークがアドホックＮＷかインフラＮＷかを識別して、接続しているネットワークに対応した手順を用いるようにしている（例えば、特許文献３参照）。
【０００５】
【特許文献１】特開平０９−０８３５３１号公報（頁７−１０、図５）
【特許文献２】特開平０７−３０３１０５号公報（頁３、図１）
【特許文献３】特開平１１−０５５３１８号公報（頁７、図１）
【発明の開示】
【発明が解決しようとする課題】
【０００６】
ところで、近年、無線ＬＡＮ機器の低価格化により、職場、家庭で有線ＬＡＮシステムの代わりに無線ＬＡＮシステムが普及され、これに伴う上記の従来の技術に対する問題点を以下に説明する。
図７は本発明の前提となる無線ＬＡＮシステムの概略構成を示す図である。なお、全図を通して同一の構成要素には同一の番号、符号を付して説明を行う。
【０００７】
本図に示すように、無線ＬＡＮシステムでは基幹ネットワーク３０に無線アクセスポイント（ＡＰ）１１が接続される。
無線ＬＡＮアクセスポイント１１の配下には複数の無線ＬＡＮクライアント（ＳＴ）２１−２５が属し、無線で接続されると双方の間に無線リンク状態が形成される。
上記無線ＬＡＮシステムでは、１つの無線チャンネルが複数の無線ＬＡＮクライアント２１−２５によりシエアされ、無線ＬＡＮアクセスポイント１１を介して複数の無線ＬＡＮクライアント２１−２５と基幹ネットワーク３０との間で通信が行われ、さらに、無線ＬＡＮアクセスポイント１１を介して、無線ＬＡＮクライアント２１−２５の相互間で通信が行われる。
【０００８】
複数の無線ＬＡＮクライアント２１−２５の各々はパーソナルコンピュータ（ＰＣ）であり、特に無線ＬＡＮアクセスポイント１１を介して各パーソナルコンピュータ間で無線ＬＡＮによるファイル共有という使用方法を一般的な機能として有する。
無線ＬＡＮアクセスポイント１１に接続される無線ＬＡＮクライアント２１−２５の数が増加すると、無線ＬＡＮアクセスポイント１１を介する無線ＬＡＮクライアント２１−２５と基幹ネットワーク３０間のトラフィック、無線ＬＡＮアクセスポイント１１を介する無線ＬＡＮクライアント２１−２５の相互間のトラフィックが増加する。
【０００９】
したがって、無線ＬＡＮが普及するにつれ、１台の無線ＬＡＮアクセスポイント１１に接続されるサテライトである無線ＬＡＮクライアント２１−２５の台数が増え、これに伴うトラフィックが増加し、特に、１つの無線チャンネルを複数の無線ＬＡＮクライアント２１−２５でシエアしているため、無線ＬＡＮクライアント２１−２５間の通信が発生した場合無線ＬＡＮのスループットの大きな低下が生じ、期待したほどスループットがでないという問題が起きてきた。
【００１０】
したがって、本発明は上記問題点に鑑みて、可能限り無線チャンネルを有効活用し、無線ネットワーク全体のスループットを向上させるための無線ＬＡＮの切替システム及び方法を提供することを目的とする。
【課題を解決するための手段】
【００１１】
本発明は前記問題点を解決するために、基幹ネットワークに接続される無線ＬＡＮアクセスポイントの配下にある複数の無線ＬＡＮクライアントに対する無線ＬＡＮの切替システムにおいて、前記無線ＬＡＮアクセスポイントでインフラストラクチャーモード、アドホックモードの機能を有する無線ＬＡＮクライアント同士のトラフィックを監視するトラフィック監視部と、前記トラフィック監視部で監視されるトラフィックが所定値以上に高くなった場合、無線ＬＡＮクライアント同士の接続要求に対して前記無線ＬＡＮクライアントにインフラストラクチャーモードからアドホックモードに通信を切り替えるように無線設定変更指示を行う無線設定変更指示部と、前記無線ＬＡＮクライアントでは前記無線ＬＡＮアクセスポイントの前記無線設定変更指示部からの指示に従ってインフラストラクチャーモードからアドホックモードに切り替える無線設定変更部とを備えることを特徴とする無線ＬＡＮの切替システムを提供する。
【００１２】
さらに、前記無線設定変更指示部からの無線設定変更指示にはインフラストラクチャーモードからアドホックモードへの切替指示の他に、使用無線チャンネル、ＥＳＳＩＤの変更指示、ＷＥＰの変更指示を含む。
さらに、前記無線設定変更指示部は接続要求された無線ＬＡＮクライアントが他の無線ＬＡＮクライアント又は前記基幹ネットワークに接続されている合には無線設定変更指示を行わない。
さらに、前記無線設定変更指示部は接続要求があった無線ＬＡＮクライアントが他の機器に接続されている場合には無線設定変更指示を行わない。
さらに、前記無線ＬＡＮアクセスポイントには最新接続ログ保存部が設けられ、前記最新接続ログ保存部には最新の接続ログが保存され、前記無線設定変更指示部は前記最新接続ログ保存部を参照して前記無線ＬＡＮクライアント同士のアドホックモードの接続確立ができなかったことを確認した場合には無線設定変更指示を行わない。
さらに、前記最新接続ログ保存部に保存された最新の接続ログは一定時間経過後に消去される。
【００１３】
さらに、前記無線設定変更部は、前記無線ＬＡＮクライアント同士のアドホックモードの接続確立後、前記無線ＬＡＮクライアントから他の機器への接続要求があった場合、アドホックモードの通信を切断し、前記無線設定変更指示部に切断の情報を通知する。
さらに、前記無線ＬＡＮクライアントには前回の無線設定情報保存部が設けられ、前記最新接続ログ保存部には前記無線設定変更指示部から無線設定変更指示された無線通信設定情報が保存され、無線設定変更指示後前記無線ＬＡＮクライアント同士のアドホックモード接続確立ができない場合、接続確立した後にアドホックモードの通信を切断した場合、アドホックモードの通信が終了した場合に、前記前回の無線設定情報保存部を参照して、前記無線ＬＡＮクライアントが前記無線ＬＡＮアクセスポイントに接続を行う。
【００１４】
さらに、前記前記無線ＬＡＮクライアントが前記無線ＬＡＮアクセスポイントに接続を行う際に、前記無線ＬＡＮクライアント間の無線状況を前記無線ＬＡＮアクセスポイントに通知し、前記無線ＬＡＮアクセスポイントの最新接続ログ保存部に保存する。
さらに、無線設定変更指示後前記無線ＬＡＮクライアント同士の接続確立ができない場合、接続確立した後にアドホックモードの通信を切断した場合、前記無線ＬＡＮクライアント同士は、インフラストラクチャーモードによる通信を行う。
【００１５】
さらに、本発明は、基幹ネットワークに接続される無線ＬＡＮアクセスポイントの配下にある複数の無線ＬＡＮクライアントに対する無線ＬＡＮの切替方法において、前記無線ＬＡＮアクセスポイントでインフラストラクチャーモード、アドホックモードの機能を有する無線ＬＡＮクライアント同士のトラフィックを監視する工程と、監視されるトラフィックが所定値以上に高くなった場合、無線ＬＡＮクライアント同士の接続要求に対して前記無線ＬＡＮアクセスポイントから前記無線ＬＡＮクライアントに対してインフラストラクチャーモードからアドホックモードに通信を切り替えるように無線設定変更指示を行う工程と、接続要求があった前記無線ＬＡＮクライアントでは前記無線ＬＡＮアクセスポイントからの指示に従ってインフラストラクチャーモードからアドホックモードに切り替える工程とを備えることを特徴とする無線ＬＡＮの切替方法を提供する。
【００１６】
さらに、基幹ネットワークに接続され、複数の無線ＬＡＮクライアントを配下に有する無線ＬＡＮアクセスポイントにおいて、インフラストラクチャーモード、アドホックモードの機能を有する無線ＬＡＮクライアント同士のトラフィックを監視するトラフィック監視部と、無線ＬＡＮクライアント同士のアドホックモードの最新接続ログを保存する最新接続ログ保存部と、監視されるトラフィックが所定値以上に高くなった場合、無線ＬＡＮクライアント同士の接続要求に対して前記最新接続ログ保存部を参照して最新のアドホックモードの接続が確立していた場合に前記無線ＬＡＮクライアントにインフラストラクチャーモードからアドホックモードに通信切り替えを可能にする無線設定変更指示を行う無線設定変更指示部とを備えることを特徴とする無線ＬＡＮアクセスポイントを提供する。
【発明の効果】
【００１７】
以上説明したように、本発明によれば、従来の無線ＬＡＮシステムでは、１つの無線チャンネルを複数の無線ＬＡＮクライアントでシエアしているため、各無線ＬＡＮクライアント間の通信が発生した場合無線ＬＡＮのスループットが大きく低下していたが、今回の無線ＬＡＮの切替システムを使用することにより、同一無線ＬＡＮアクセスポイントの配下にある無線ＬＡＮクライアント間の通信をインフラストラクチャーモードからアドホックモードに分離できる。
このため、同一無線ＬＡＮアクセスポイントの配下にあるクライアント間同士の通信が発生しても、無線ＬＡＮシステム内のスループットが低下しない。
また、無線ＬＡＮクライアントＫＡＮ通信にしても１つの無線チャンネルを占有でき、高いスループットでの無線ＬＡＮ通信が実現できる。
【発明を実施するための最良の形態】
【００１８】
図１は本発明に係る無線ＬＡＮの切替システムにおける無線ＬＡＮアクセスポイント１１の概略構成示すブロック図である。本図に示すように、無線ＬＡＮの切替システムの無線ＬＡＮアクセスポイント１１にはアンテナ１０１が設けられ、アンテナ１０１は無線ＬＡＮクライアント２１−２５と無線通信を行う機能を有する。
アンテナ１０１には無線部１０２が接続され、無線部１０２は変調・復調部を有し、アンテナ１０１からの受信信号を復調し、アンテナ１０１に対して送信信号に変調を行う機能を有する。
【００１９】
無線部１０２にはビット同期回路１０３が接続され、ビット同期回路１０３は送受信データに対してビット同期を取る機能を有する。
ビット同期回路１０３には通信コントローラ１０４が接続され、通信コントローラ１０４はパケットの組み立・分解、通信制御、フレームエラーチェック等を行う機能を有する。
【００２０】
通信コントローラ１０４には誤り符号器・復号器１０６が接続され、誤りの符号の符号器・復号器１０６はデータ転送中の誤りを修復する機能を有する。
さらに、通信コントローラ１０４には制御部１０７が接続され、制御部１０７はＣＰＵ（中央演算装置）で構成され、無線ＬＡＮアクセスポイント１１全体の制御を行う。
さらに、通信コントローラ１０４にはメモリ１０８が接続され、メモリ１０８は各種プログラム、各種データを記憶する。
【００２１】
さらに、通信コントローラ１０４にはＬＡＮコントローラ１０５が接続され、ＬＡＮコントローラ１０５は有線ＬＡＮ端末との通信を制御する機能を有する。
ＬＡＮコントローラ１０５には外部インタフェース１０９が接続され、外部インタフェース１０９は基幹ネットワーク３０に対する入出力を行う機能を有する。
さらに、制御部１０７にはトラフィック監視部１０７Ａが設けられ、トラフィック監視部１０７Ａは無線ＬＡＮアクセスポイント１１と複数の無線ＬＡＮクライアント２１−２５間のトラフィックを監視する機能を有する。
【００２２】
さらに、制御部１０７には無線設定変更指示部１０７Ｂが設けられ、無線設定変更指示部１０７Ｂはトラフィック監視部１０７Ａからトラフィックが所定値より高いとの情報を得た場合配下の無線ＬＡＮクライアント２１−２５同士が通信を行う際に該当する無線ＬＡＮクライアント２１−２５に無線設定の変更の指示としてアドホックモードへの変更指示、使用する無線チャンネル（空いている無線チャンネルへの変更）の変更指示、ＥＳＳＩＤ（Ｅｘｔｅｎｄｅｄ  Ｓｅｒｖｉｃｅ  Ｓｅｔ  Ｉｄｅｎｔｉｔｙ）の変更指示、ＷＥＰ（Ｗｉｒｅｄ  Ｅｑｕｉｖａｌｅｎｔ  Ｐｒｉｖａｃｙ）の変更指示をする機能を有する。
【００２３】
さらに、メモリ１０８には最新接続ログ保存部１０８Ａが設けられ、最新接続ログ保存部１０８Ａはアドホックモードの通信に切り替えられた無線ＬＡＮクライアント２１−２５相互の最新接続ログを一定時間保存し、一定時間経過した場合消去する機能を有する。一定時間経過後には通信環境が変化して、保存した情報の使用が不適当になるためである。
図２は本発明に係る無線ＬＡＮの切替システムにおける無線ＬＡＮクライアント２１−２５の各々の概略構成示すブロック図である。本図に示すように、無線ＬＡＮの切替システムで無線ＬＡＮクライアント２１−２５の各々は、インフラストラクチャーモードとアドホックモードで通信を行う機能を有し、さらに、アンテナ２０１を有する。アンテナ２０１は無線ＬＡＮアクセスポイント１１のアンテナ１０１と無線通信を行う機能を有する。
【００２４】
アンテナ２０１には無線部２０２が接続され、無線部２０２は変調・復調部を有し、アンテナ２０１からの受信信号を復調し、アンテナ２０１に対して送信信号に変調を行う機能を有する。
無線部２０２にはビット同期回路２０３が接続され、ビット同期回路２０３は送受信データに対してビット同期を取る機能を有する。
【００２５】
ビット同期回路２０３には通信コントローラ２０４が接続され、通信コントローラ２０４はパケットの組み立・分解、通信制御、フレームエラーチェック等を行う機能を有する。
通信コントローラ２０４には誤り符号器・復号器２０６が接続され、誤りの符号の符号器・復号器２０６はデータ転送中の誤りを修復する機能を有する。
【００２６】
さらに、通信コントローラ２０４には制御部２０７が接続され、制御部２０７はＣＰＵ（中央演算装置）で構成され、無線ＬＡＮクライアント２１−２５の各々全体の制御を行う機能を有する。
さらに、通信コントローラ２０４にはメモリ２０８が接続され、メモリ２０８は各種プログラム、各種データを記憶する機能を有する。
【００２７】
さらに、通信コントローラ２０４にはインタフェースコントローラ２０５が接続され、インタフェースコントローラ２０５は他のノートパーソナルコンピュータ（ＰＣ）等の端末との通信を制御する機能を有する。
インタフェースコントローラ２０５には外部インタフェース２０９が接続され、外部インタフェース２０９は他のノートパーソナルコンピュータ等の端末に対する入出力を行う機能を有する。
【００２８】
さらに、制御部２０７には無線設定変更部２０７Ａが設けられ、無線設定変更部２０７Ａは無線ＬＡＮアクセスポイント１１から無線設定変更指示部１０７Ｂの指示に従いインフラストラクチャーモードからアドホックモードに切替を行う。
さらに、メモリ２０８には前回の無線設定情報保存部２０８Ａが設けられ、前回の無線設定情報保存部２０８Ａは前回の無線ＬＡＮアクセスポイント１１との無線接続設定情報を保存する機能を有する。
【００２９】
図３はトラフィックが所定値より高い場合の無線ＬＡＮシステムを説明する概略構成を示す図である。
無線ＬＡＮシステムが混雑している場合、本図に示すように、一例として、無線ＬＡＮアクセスポイント１１に無線ＬＡＮクライアント２１から無線ＬＡＮクライアント２２への向きにデータ送信を行うという要求があると、無線ＬＡＮアクセスポイント１１から無線ＬＡＮクライアント２１、２２にインフラストラクチャーモードからアドホックモードに切り替えるという無線設定指示が行われる。
【００３０】
図４はインフラストラクチャーモードからアドホックモードに切り替える場合の図３の無線ＬＡＮシステムを説明する概略構成を示す図である。
本図に示すように、無線ＬＡＮアクセスポイント１１の配下である無線ＬＡＮクライアント２１と無線ＬＡＮクライアント２２の間で通信が行われる場合、無線ＬＡＮ内の通信を要求する無線ＬＡＮクライアント２１と無線ＬＡＮクライアント２２が一旦無線ＬＡＮアクセスポイント１１から切り離され、無線ＬＡＮクライアント２１と無線ＬＡＮクライアント２２の間の通信がアドホックモードに切替えられ１対１通信が行われる。
【００３１】
通信終了後、無線ＬＡＮクライアント２１、無線ＬＡＮクライアント２２の通信がアドホックモードからインフラストラクチャーモードに戻され、無線ＬＡＮアクセスポイント１１に対し無線待機状態になり、復帰が行われる。
図５、図６は図３、図４の切替時の図１、図２における無線ＬＡＮの切替システムに係る一連の動作を詳細に説明するフローチャートである。
【００３２】
本図５に示すように、ステップＳ３０１において、無線ＬＡＮアクセスポイント１１の配下の無線ＬＡＮクライアント２１が無線ＬＡＮクライアント２２にファイル転送を実行する。
ステップＳ３０２において、無線ＬＡＮアクセスポイント１１の無線設定変更指示部１０７Ｂでは、トラフィック監視部１０７Ａで監視されているトラフィックが所定値より高いか否かを判断する。トラフィックが低い場合にはステップＳ３２２に進む。
【００３３】
ステップＳ３０３において、トラフィックが所定値より高い場合無線設定変更指示部１０７Ｂでは、無線ＬＡＮクライアント２１、２２の通信状況が確認される。この確認では、メモリ１０８の最新接続ログ保存部１０８Ａに保存されている前回の無線ＬＡＮクライアント２１−２２間のアドホックモード通信時の内容が検索され、確認される。
ステップＳ３０４において、無線設定変更指示部１０７Ｂでは、無線ＬＡＮクライアント２２が他の端末又は基幹ネットワーク３０に接続されているか否かが確認される。接続されている場合にはステップＳ３２２に進む。無線ＬＡＮクライアント２１−２２間のスループットの向上を考慮するためである。
【００３４】
ステップＳ３０５において、他の端末又は基幹ネットワーク３０に接続されいない場合には、無線設定変更指示部１０７Ｂでは、無線ＬＡＮクライアント２１、２２が他の機器と通信しているか否かを判断する。通信している場合ステップＳ３２２に進む。無線ＬＡＮクライアント２１−２２間のスループットの向上を考慮するためである。
ステップＳ３０６において、上記通信を行っていない無線設定変更指示部１０７Ｂではメモリ１０８の最新接続ログ保存部１０８Ａを参照して、一定時間保存されている無線ＬＡＮクライアント２１−２２間の最新接続ログの有無を判断し、最新接続ログが保存されている場合無線ＬＡＮクライアント２１−２２間のアドホックモード接続が問題なく行われたか否かが確認される。最新接続ログが保存され、アドホックモード接続に問題があると確認した場合にはステップＳ３２０に進む。無線ＬＡＮクライアント２１−２２間のスループットの向上を考慮するためである。
【００３５】
ステップＳ３０７において、最新接続ログ保存部１０８Ａに最新接続ログが保存されず、最新接続ログが保存されておりアドホックモード接続に問題がないと確認した場合には無線アクセスポイント１１の無線設定変更指示部１０７Ｂから無線ＬＡＮクライアント２１、２２に無線設定変更指示パケットが送信される。
この無線設定変更指示パケットにはアドホックモードへの変更指示、使用する無線チャンネル（空いている無線チャンネルへの変更）の変更指示、混線回避のためにＥＳＳＩＤの変更指示、秘匿性確保のためにＷＥＰの変更指示が含む。
【００３６】
ステップＳ３０８において、無線ＬＡＮクライアント２１、２２では無線設定変更指示部１０７Ｂから無線設定変更パケットを受信後無線設定変更部２０７Ａで無線設定変更を行い、アドホックモードでの接続を試みる。
本図６に示すように、ステップＳ３０９において、無線ＬＡＮクライアント２１、２２の無線設定変更部２０７Ａでは接続が一定時間内に確立できたか否かを判断する。確立できない場合ステップＳ３１９に進む。
【００３７】
ステップＳ３１０において、無線ＬＡＮクライアント２１−２２間の確立ができた場合、データ転送が開始される。
ステップＳ３１１において、無線ＬＡＮクライアント２１、２２が他の機器に接続を試みているかを判断する。試みている場合にはステップＳ３１８に進む。
ステップＳ３１２において、他の機器に接続を試みていない場合無線ＬＡＮクライアント２１−２２間の転送が継続される。
【００３８】
ステップＳ３１３において、無線ＬＡＮクライアント２１、２２の転送が終了したかを判断する。終了していない場合にはステップＳ３１１に戻る。
ステップＳ３１４において、転送が終了した場合、無線ＬＡＮクライアント２１、２２では、メモリ２０８の前回の無線設定情報保存部２０８Ａ内に保存していた前回の無線設定（無線ＬＡＮアクセスポイント１１との無線設定）を読み出し、無線ＬＡＮアクセスポイント１１に対し接続を試みる。さらに、すでに設定されたＥＳＳＩＤの変更、ＷＥＰの変更を元に戻す。
【００３９】
ステップＳ３１５において、無線ＬＡＮクライアント２１、２２が無線ＬＡＮアクセスポイント１１に接続され、無線ＬＡＮクライアント２１−２２間の無線状況が無線ＬＡＮアクセスポイント１１に通知される。このように、無線ＬＡＮクライアント２１−２２間のデータ転送が無事終了した場合、無線ＬＡＮクライアント２１、２２は無線の設定を変更前に戻し、通信が無事終了したことが無線ＬＡＮアクセスポイント１１に通知される。
【００４０】
ステップＳ３１６において、無線ＬＡＮアクセスポイント１１では無線ＬＡＮクライアント２１−２２間の無線状況の通信を受けると、その情報がメモリ１０８の最新接続ログ保存部１０８Ａ内に一定時間保存される。保存された情報が以後の同じ無線ＬＡＮクライアント２１、２２同士の通信時にアドホックモードに変更して指示するか否かの判断に使用される。
【００４１】
ステップＳ３１７において、無線ＬＡＮクライアント２１、２２が無線待機状態（図７の状態）になり、処理が終了する。
ステップＳ３１８において、他の機器に接続を試みている場合、通信相手に、アドホックモードでの通信を切断する主旨が連絡され、アドホックモードでの通信が断となる。通信途中で、無線ＬＡＮクライアント２１、２２より他の機器に接続する希望が出た場合通信相手の無線ＬＡＮクライアントにその旨を通知し、無線の設定を変更前に戻すことが可能にするためである。ステップＳ３１９に進む。無線ＬＡＮアクセスポイント１１とのリンク確立後、無線ＬＡＮクライアント２１、２２側の要望でアドホックモードによる無線接続が切断された旨をそのときの無線状況と共に無線ＬＡＮアクセスポイント１１に伝えるためである。
【００４２】
ステップＳ３１９において、一定時間内に確立できない場合には無線ＬＡＮクライアント２１−２２間の無線状態が悪いと判断し、変更前の無線設定に戻すために、無線ＬＡＮクライアント２１、２２では、メモリ２０８の前回の無線設定情報保存部２０８Ａ内に保存していた前回の無線設定（無線ＬＡＮアクセスポイント１１との無線設定）を読み出し、無線ＬＡＮアクセスポイント１１に対し接続を試みて、ステップＳ３２０に進む。
【００４３】
このとき、無線設定を戻す各無線ＬＡＮクライアント２１、２２は、固定ＩＰ（Ｉｎｔｅｒｎｅｔ  Ｐｒｏｔｏｃｏｌ）でない場合ＩＰアドレスをＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバー（図示しない）から再度取得し直す。
ステップＳ３２０において、無線ＬＡＮクライアント２１、２２が無線ＬＡＮアクセスポイント１１に接続され、無線ＬＡＮクライアント２１−２２間の無線状況が無線ＬＡＮアクセスポイント１１に通知される。
【００４４】
ステップＳ３２１において、無線ＬＡＮアクセスポイント１１では無線ＬＡＮクライアント２１−２２間の無線状況の通信を受けると、その情報がメモリ１０８の最新接続ログ保存部１０８Ａ内に一定時間保存される。保存された情報が以後の同じ無線ＬＡＮクライアント２１、２２同士の通信時にアドホックモードに変更して指示すべきか否かの判断に使用される。
ステップＳ３２２において、無線ＬＡＮクライアント２１、２２ではインフラストラクチャーモードによる通信によるデータ転送が開始され、処理が終了する。
【図面の簡単な説明】
【００４５】
【図１】本発明に係る無線ＬＡＮの切替システムにおける無線ＬＡＮアクセスポイント１１の概略構成示すブロック図である。
【図２】本発明に係る無線ＬＡＮの切替システムにおける無線ＬＡＮクライアント２１−２５の各々の概略構成示すブロック図である。
【図３】トラフィックが所定値より高い場合の無線ＬＡＮシステムを説明する概略構成を示す図である。
【図４】インフラストラクチャーモードからアドホックモードに切り替える場合の図３の無線ＬＡＮシステムを説明する概略構成を示す図である。
【図５】図３、図４の切替時の図１、図２における無線ＬＡＮの切替システムに係る一連の動作を詳細に説明するフローチャートである。
【図６】図３、図４の切替時の図１、図２における無線ＬＡＮの切替システムに係る一連の動作を詳細に説明するフローチャートである。
【図７】本発明の前提となる無線ＬＡＮシステムの概略構成を示す図である。
【符号の説明】
【００４６】
１１…無線ＬＡＮアクセスポイント
２１−２５…無線ＬＡＮクライアント
３０…基幹ネットワーク
１０１、２０１…アンテナ
１０２、２０２…無線部
１０３、２０３…ビット同期回路
１０４、２０４…通信コントローラ
１０５…ＬＡＮコントローラ
１０６、２０６…誤り符号器・復号器
１０７、２０７…制御部
１０７Ａ…トラフィック監視部
１０７Ｂ…無線設定変更指示部
１０８、２０８…メモリ
１０８Ａ…最新接続ログ保存部
１０９、２０９…外部インタフェース
２０５…インタフェースコントローラ
２０７Ａ…無線設定変更部
２０８Ａ…前回の無線設定情報保存部
【図１】
2005086234.tif 000003
【図２】
2005086234.tif 000004
【図３】
2005086234.tif 000005
【図４】
2005086234.tif 000006
【図５】
2005086234.tif 000007
【図６】
2005086234.tif 000008
【図７】
2005086234.tif 000009